(57)【要約】【課題】脱衣作業にかかる負担を軽減するとともに任意の連結箇所を解除することができる防護服を提供する。【解決手段】前身頃２の上部および側部のそれぞれに設けられた前肩部４ａおよび前脇腹部５ａと、後身頃３の上部および側部のそれぞれに設けられた後肩部４ｂおよび後脇腹部５ｂの連結を第１の面ファスナー６ａ、７ａと第２の面ファスナー６ｂ、７ｂをそれぞれ接着することにより行い、第１の面ファスナー６ａ、７ａの後身頃３側に連続する掴み手８を前身頃２側に位置させた。着衣の際には、第１の面ファスナー６ａ、７ａと第２の面ファスナー６ｂ、７ｂをそれぞれ接着するだけよく、脱衣の際には、掴み手８を引っ張るだけで第１の面ファスナー６ａ、７ａを第２の面ファスナー６ｂ、７ｂから容易に剥離することができる。【選択図】図１
2007333315.tif 000002
【特許請求の範囲】
【請求項１】
前身頃と、後身頃と、前記前身頃の上部および側部に設けられた雄雌何れかの第１の面ファスナーと、前記前身頃の上部および側部に設けられ、前記雄雌何れかの第１の面ファスナーと接離自在な雌雄何れかの第２の面ファスナーと、一端が前記第１の面ファスナー側に連続し、他端側から引張することにより、前記第１の面ファスナーを前記後身頃側から前記前身頃側に向けて前記第２の面ファスナーから剥離させる剥離補助部材と、を備えた防護服。
【請求項２】
前記第１の面ファスナーが前記第２の面ファスナーに接着され、前記前身頃と前記後身頃が上部および側部において連結された状態において、前記剥離補助部材の他端を前記前身頃側に延伸された姿勢に維持する姿勢維持部材をさらに備えた請求項１記載の防護服。
【請求項３】
前記剥離補助部材の他端に掴み手を備え、前記姿勢維持部材が前記剥離補助部材を被覆する請求項２記載の防護服。
【発明の詳細な説明】
【技術分野】
【０００１】
本発明は、銃刀等による攻撃から身体を防御する防護服に関するものである。
【背景技術】
【０００２】
銃刀等による攻撃に対して身を守る手段として、銃弾や刃先等が貫通しない素材で構成された防弾チョッキ等の防護服が広く用いられている。防弾チョッキは、上半身に着衣することで致命傷に至る臓器へのダメージを軽減する機能を有しており、身体防御性を強化するために金属板やセラミック板等の補強板を付加的に着衣したり、各種の武器等を装備したりすることが多く、全体としてかなりの重量となっている。そのため、身体の軽量化が必要な状況におかれたとき、例えば水中に転落したり潜入したりする状況においては短時間で容易に防弾チョッキを脱衣することが求められる。
【０００３】
従来、脱衣を容易にした防弾チョッキとして、防弾チョッキを構成する前身頃と後身頃を肩部と脇腹部において連結し、これらの連結部を係止した複数のピンを一回の動作で同時に引き抜くことで全ての連結が解除されるものが提案されている（特許文献１参照）。
【特許文献１】特開２００６−１７３３２号公報
【発明の開示】
【発明が解決しようとする課題】
【０００４】
このような防弾チョッキは、一回の動作で瞬時に脱衣することができるという利点があるが、各連結部を係止した複数のピン同士を連動させるための機構を設ける必要から構造が複雑になり、その結果として着衣に時間がかかる等の作業負担が増大するという問題がある。また、治療のため負傷した部位を露出させるために必要な箇所だけ連結を解除することができないという問題もある。
【０００５】
そこで、本発明は、着脱作業にかかる負担を軽減するとともに任意の連結箇所を解除することができる防護服を提供することを目的とする。
【課題を解決するための手段】
【０００６】
請求項１記載の防護服は、前身頃と、後身頃と、前記前身頃の上部および側部に設けられた雄雌何れかの第１の面ファスナーと、前記前身頃の上部および側部に設けられ、前記雄雌何れかの第１の面ファスナーと接離自在な雌雄何れかの第２の面ファスナーと、一端が前記第１の面ファスナー側に連続し、他端側から引張することにより、前記第１の面ファスナーを前記後身頃側から前記前身頃側に向けて前記第２の面ファスナーから剥離させる剥離補助部材と、を備えた。
【０００７】
前身頃と後身頃を対となる面ファスナーの接着により連結するという簡単な構造であるので、防護服の着衣作業にかかる負担が軽減される。また、任意の連結箇所における一方の面ファスナー側に連続した剥離補助部材を前身頃側に引張するだけで当該連結箇所における連結を解除することができるので、防護服の脱衣作業にかかる負担が軽減される。
【０００８】
請求項２記載の防護服は、請求項１記載の防護服において、前記第１の面ファスナーが前記第２の面ファスナーに接着され、前記前身頃と前記後身頃が上部および側部において連結された状態において、前記剥離補助部材の他端を前記前身頃側に延伸された姿勢に維持する姿勢維持部材をさらに備えた。
【０００９】
剥離補助部材の他端を前身頃側に延伸された姿勢に維持することで、着用者の作業の邪魔にならないように剥離補助部材の自由な動きを拘束し、また、剥離補助部材の端部の位置が容易に把握でき、脱衣時に剥離補助部材の端部を探す手間を省くことができる。
【００１０】
請求項３記載の防護服は、請求項２記載の防護服において、前記剥離補助部材の他端に掴み手を備え、前記姿勢維持部材が前記剥離補助部材を被覆する。
【００１１】
前記剥離補助部材の他端に設けられた掴み手の位置が前身頃側に確定されるので、脱衣時において剥離補助部材を端部側から容易に引張することができ、防護服の脱衣作業にかかる負担がさらに軽減される。
【発明の効果】
【００１２】
本発明によれば、前身頃と後身頃とを簡単な構造で連結し、各連結箇所は独立して連結または連結解除することができるので、防護服の着脱作業にかかる負担を軽減することができ、また、任意の箇所の連結を解除することで治療が必要な身体の部位のみを露出させることができる。
【発明を実施するための最良の形態】
【００１３】
本発明の実施の形態について図面を参照して説明する。図１は本発明の実施の形態の防護服の斜視図、図２は本発明の実施の形態の防護服の分解図、図３は本発明の実施の形態の防護服における連結解除方法の説明図、図４は本発明の実施の形態の防護服の斜視図、図５は本発明の実施の形態の防護服を着衣した状態を示す説明図である。
【００１４】
最初に、本発明の実施の形態である防護服の全体構成について説明する。図１において、防護服１は、防弾性に優れるとともに柔軟性にも優れた高強度繊維を素材として上半身を被覆する形状に形成されている。図１および図２において、防護服１は、胸部および腹部を被覆する前身頃２と、肩から腰にかけての背部を被覆する後身頃３と、両脇腹部を被覆する脇腹部と、防護服１を両肩で支えるための肩部で構成されている。肩部および脇腹部は、前身頃２の上部および側部のそれぞれに設けられた前肩部４ａおよび前脇腹部５ａと、後身頃３の上部および側部のそれぞれに設けられた後肩部４ｂおよび後脇腹部４ｂから構成され、前肩部４ａと後肩部４ｂを連結するとともに前脇腹部５ａと後脇腹部５ｂを連結することで防護服１を上半身に着衣することができる。肩部および脇腹部における連結は、対応する側にそれぞれ設けられた雄雌の面ファスナーを接着して行う。
【００１５】
図２は防護服１の肩部および脇腹部の連結を解除した状態を示し、（ａ）は前身頃の平面図、（ｂ）は後身頃の平面図である。前肩部４ａおよび前脇腹部５ａ側に設けられる第１の面ファスナー６ａ、７ａは雄の面ファスナーであり、前身頃２の裏面側（防護服１を着衣したときに身体に接する側）に設けられている。他方、後肩部４ｂおよび後脇腹部５ｂに設けられる第２の面ファスナー６ｂ、７ｂは雌の面ファスナーであり、後身頃３の表面側（防護服１を着衣したときに外表面となる側）に設けられている。第２の面ファスナー６ｂ、７ｂは後肩部４ｂおよび後脇腹部５ｂの略全域に設けられ、これに対応したサイズに形成される第１の面ファスナー６ａ、７ａと接着することで連結能力を高めている。なお、雄雌の面ファスナーとしては、雄側のフックとフックに係合する雌側のループがそれぞれ全面に設けられた面ファスナーを使用することができる。
【００１６】
前肩部４ａおよび後肩部４ｂは、それぞれ前身頃２および後身頃３の上方に延伸して設けられており、前肩部４ａは後肩部４ｂより長く形成されている。同様に、前脇腹部５ａおよび後脇腹部５ｂは、それぞれ前身頃２および後身頃３の側方に延伸して設けられており、前脇腹部４ａは後脇腹部４ｂより長く形成されている。第１の面ファスナー６ａ、７ａは、前肩部４ａおよび前脇腹部５ａの略中央から前身頃２寄りに設けられている。前肩部４ａおよび前脇腹部５ａの端部には、人体の手により掴み易い形状に形成された掴み手８が設けられている。なお、前肩部４ａおよび後肩部４ｂは、独立して形成した部材を前身頃２および後身頃３の上部に連結するだけでなく、前身頃２および後身頃３の上部を延長して一体的に設けてもよい。
【００１７】
次に、防護服１の肩部および脇腹部における連結方法について説明する。図１において、後肩部４ｂに前肩部４ａを重ね（矢印Ａ参照）、後肩部４ｂに設けられた第２の面ファスナー６ｂと前肩部４ａに設けられた第１の面ファスナー６ａを接着することで肩部が連結される。同様に、後脇腹部５ｂに前脇腹部５ａを重ね（矢印Ｂ参照）、後脇腹部５ｂに設けられた第２の面ファスナー７ｂと前脇腹部５ａに設けられた第１の面ファスナー７ａを接着することで脇腹部が連結される。前肩部４ａおよび前脇腹部５ａは略中央で折り返され、それぞれの端部に設けられた掴み手８を前身頃２側に位置させている。
【００１８】
このように、対になる面ファスナーを接着させるという簡単な構造で前身頃２と後身頃３を肩部と脇腹部において連結することができるので、防護服１の着衣作業にかかる負担を軽減することができる。また、第１の面ファスナー６ａ、７ａと第２の面ファスナー６ｂ、７ｂは任意の箇所で接着することができるので、防護服１は、肩周りと胴周りの寸法を調整することが可能であり、着用者の体格に対応した寸法に容易に変更することができる。なお、第１の面ファスナー６ａ、７ａおよび第２の面ファスナー６ｂ、７ｂに設けられる面ファスナーは互いに雌雄の対となっていればよく、第１の面ファスナー６ａ、７ａに雌の面ファスナーを設け、第２の面ファスナー６ｂ、７ｂに雄の面ファスナーを設けてもよい。
【００１９】
次に、肩部および脇腹部における連結を解除する方法について、図３および図４を参照して説明する。なお、肩部と脇腹部における連結の構造は同様であるので、以下、肩部についてのみ説明する。図３は、前身頃２側に折り返された前肩部４ａを後肩部４ｂに重ねて連結した状態を示している。図３（ａ）に示すように、第１の面ファスナー６ａが第２の面ファスナー６ｂに接着された状態において、前肩部４ａは略中央で二つ折りにされ、端部に設けられた掴み手８が前身頃２側に折り返されている。前身頃４ａの折り返された部分は、一端１０ａが第１の面ファスナー６ａの後身頃３側に連続し、他端１０ｂが前身頃２側に延伸された剥離補助部材１０として機能し、図３（ｂ）に示すように、他端１０ｂに設けられた掴み手８を手１２で掴み、前見頃２側（矢印Ｃ参照）に引っ張ると、剥離補助部材１０が他端１０ｂ側から引張され、剥離補助部材の一端１０ａと連続する第１の面ファスナー６ａが後身頃３側から前身頃２側に向けて第２の面ファスナー６ｂから剥離される。図３（ｃ）に示すように、第１の面ファスナー６ａが第２の面ファスナー６ｂから完全に剥離されると、前肩部４ａと後肩部４ｂとの連結が解除される。肩部と脇腹部における４箇所の連結部の全てを解除することで前身頃２と後身頃３が分離され（図１参照）、防護服１を脱衣することができる。
【００２０】
このように、第１の面ファスナー６ａ、７ａに連続する掴み手８を前身頃２側に引っ張るだけで肩部および脇腹部における連結を解除することができるので、防護服１の脱衣作業にかかる負担を軽減することができる。また、両肩部および両脇腹部の計４箇所の連結部は、それぞれ独立して連結または連結解除できるので、例えば、被弾等により負傷した場合に、必要な箇所だけ連結を解除して負傷した箇所を迅速に露出させることができる。治療後は、連結を解除した箇所だけを再度連結すればよいので、着衣作業にかかる負担を軽減することができる。さらに、防護服１を着衣した状態で水中を移動する場合には、例えば利き腕側の肩部と脇腹部の連結のみを解除することで脱衣し、そのまま他方の腕で連結状態にある肩部を抱えることができる。これにより、脱衣した防護服１を放棄することなく携帯することができ、脱衣して自由になった利き腕で片手泳ぎすることができる。
【００２１】
ところで、剥離補助部材１０は、一端１０ａが第１の面ファスナー６ａ側に連続しているだけなので、他端１０ｂ側は自由端であり、他端１０ｂに設けられた掴み手８の位置が確定しない。そのため、図４に示すように、前身頃２と後身頃３が肩部と脇腹部において連結された状態において剥離補助部材１０の他端１０ｂが前身頃２側に延伸された姿勢を維持するため、後肩部４ｂおよび前肩部４ａ、剥離補助部材１０が重なった連結部を姿勢維持部材１１で被覆する。姿勢維持部材１１は、後肩部４ｂの下方から連結部の両側方を回り込ませた両側部１１ａを交互に折り返し（矢印Ｄ、Ｅ参照）、剥離補助部材１０の上方で重ねて係止することにより筒状体を形成し（図中の左側の姿勢維持部材１１参照）、筒状体の内側に剥離補助部材１０を保持して掴み手８の位置を前身頃２側に確定している。このように、連結部を筒状体の姿勢維持部材１１で被覆することで、筒状体の内側で第１の面ファスナー６ａと第２の面ファスナー６ｂの剥離を行うスペースが確保できるので、連結の解除が妨げられることがない。
【００２２】
なお、脇腹部における連結部を被覆する姿勢維持部材１３は、肩部における連結部を被覆する姿勢維持部材１１と同様の構成であるが、両側部１３ａを連結部の両側方に回り込ませる方向が異なる。すなわち、姿勢維持部材１１は内側から外側に向けて回り込ませ、外側で両側部１１ａを交互に折り返して被覆するが（矢印Ｄ、Ｅ参照）、姿勢維持部材１３は外側から内側に向けて回り込ませ、内側で両側部１３ａを交互に折り返して被覆する（矢印Ｆ、Ｇ参照）。このような違いを設けたのは、防護服１を着衣した状態で座姿勢と起立姿勢を繰り返すとき、両側部１３ａが隣人や機器等に引っ掛かってしまう事故が発生する可能性があるからである。肩部においては、このような事故は比較的想定しにくいので外側で両側部１１ａを折り返しているが、脇腹部と同様に内側で折り返してもよい。
【００２３】
また、姿勢維持部材１１は筒状体に限るものではなく、剥離補助部材１０の他端１０ｂを前身頃２側に延伸された姿勢に維持するとともに第１の面ファスナー６ａと第２の面ファスナー６ｂの剥離を許容する程度に姿勢維持するものであれば他の形状のものであってもよい。また、姿勢維持部材１１を面ファスナー等によって後肩部４ｂに接着しておくことで、姿勢維持部材１１の位置を姿勢維持に最適な位置に確定することができ、また、連結を解除した際に姿勢維持部材１１が防護服１から落下して紛失してしまうようなミスを防止することができる。
【００２４】
図５は、防護服１が着用者１４の上半身に着衣された状態を示している。上述した防護服１の構造によって前身頃２側に掴み手８が位置しているので、着用者１４は自らの両手１２ａ、１２ｂにより掴み手８を身体の前方に引っ張ることができる。両手を使用できる状態においては両肩部および両脇腹部の計４箇所の連結を２回の動作で全ての連結箇所を解除することができ、容易かつ短時間に防護服１を脱衣することができる。また、防護服１が武器等の操作のため防護服１が拘束されている状態においては、空いている片手による４回の動作で全ての連結箇所を解除することになるが、掴み手８を身体の前方に引っ張るだけでよいので脱衣にかかる負担は少ない。
【産業上の利用可能性】
【００２５】
本発明によれば、前身頃と後身頃とを簡単な構造で連結し、各連結箇所は独立して連結または連結解除することにより、防護服の着脱作業にかかる負担を軽減することができ、また、任意の箇所の連結を解除することで治療が必要な身体の部位のみを露出させることができるという利点があるので、優れた着脱性が要求される防弾チョッキ等に利用可能である。
【図面の簡単な説明】
【００２６】
【図１】本発明の実施の形態の防護服の斜視図
【図２】本発明の実施の形態の防護服の分解図
【図３】本発明の実施の形態の防護服における連結解除方法の説明図
【図４】本発明の実施の形態の防護服の斜視図
【図５】本発明の実施の形態の防護服を着衣した状態を示す説明図
【符号の説明】
【００２７】
１  防護服
２  前身頃
３  後身頃
４ａ  前肩部
４ｂ  後肩部
５ａ  前脇腹部
５ｂ  後脇腹部
６ａ、７ａ  第１の面ファスナー
６ｂ、７ｂ  第２の面ファスナー
８  掴み手
１０  剥離補助部材
１１、１３  姿勢維持部材
【図１】
2007333315.tif 000003
【図２】
2007333315.tif 000004
【図３】
2007333315.tif 000005
【図４】
2007333315.tif 000006
【図５】
2007333315.tif 000007